(57)【要約】      （修正有）【課題】タンクユニットと熱源機ユニットとが配置される環境に関わらず、両ユニットを適切に連結固定することができる技術を提供する。【解決手段】タンクユニットと熱源機ユニットとを並べて配置し、第１金具４０と第２金具７０とを組み合わせた際に、第２側面板７４の外側から、連通する第２通孔８２及び第１ネジ孔にネジを螺入可能であるとともに、第１側面板の内側から、連通する第１通孔及び第２ネジ孔８０にネジを螺入可能である。そのため、一方の第２側面板７４の外側方向（他方の第１側面板の内側方向でもある）からの作業により、一方の第２側面板７４と一方の第１側面板とをネジ止めして連結し、さらに、他方の第１側面板と他方の第２側面板とをネジ止めして連結することができる。【選択図】図４
2013257084.tif 000002
【特許請求の範囲】
【請求項１】
貯湯タンクを備えるタンクユニットと、熱源機を備える熱源機ユニットとを連結固定するための連結具であって、
連結具は、
タンクユニットと熱源機ユニットのうちの一方のユニットに取り付けられる第１金具と、タンクユニットと熱源機ユニットのうちの他方のユニットに取り付けられる第２金具と、を備え、
第１金具は、
前記一方のユニットのうち、前記他方のユニットに対向する側の面に取り付けられる第１背面板と、
第１背面板の長手方向両端部と連続して形成され、互いに対向する一対の第１側面板と、を備え、
一対の第１側面板には、それぞれ、第１通孔と、第１ネジ孔が形成され、
第２金具は、
前記他方のユニットのうち、前記一方のユニットに対向する側の面に取り付けられる第２背面板と、
第２背面板の長手方向両端部と連続して形成され、互いに対向する一対の第２側面板と、を備え、
一対の第２側面板には、それぞれ、第２通孔と、第２ネジ孔が形成され、
タンクユニットと熱源機ユニットとを並べて配置し、第１金具と第２金具とを組み合わせると、
一対の第１側面板の外側面が、それぞれ、一対の第２側面板の内側面と重ねられ、
第１通孔は第２ネジ孔と連通し、
第１ネジ孔は第２通孔と連通し、
第２側面板の外側から、連通する第２通孔及び第１ネジ孔にネジを螺入可能であるとともに、
第１側面板の内側から、連通する第１通孔及び第２ネジ孔にネジを螺入可能である、
ことを特徴とする連結具。
【請求項２】
一方の第１側面板には、さらに、第１開口部が形成され、
他方の第１側面板には、さらに、第１切欠部が形成され、
一方の第２側面板には、さらに、第２開口部が形成され、
他方の第２側面板には、さらに、第２切欠部が形成され、
タンクユニットと熱源機ユニットとを並べて配置し、第１金具と第２金具とを組み合わせると、
第１開口部と第２開口部とが連通して連通開口部が形成されるとともに、第１切欠部と第２切欠部とが連通して連通切欠部が形成され、
連通開口部は、他方の第１側面板の第１通孔及び他方の第２側面板の第２ネジ孔と対向する位置に形成され、
連通切欠部は、一方の第１側面板の第１通孔及び一方の第２側面板の第２ネジ孔と対向する位置に形成され、
一方の第２側面板の外側から、連通開口部を通して、他方の第１側面板の第１通孔と、第１通孔と連通する他方の第２側面板の第２ネジ孔にネジを螺入可能であり、
他方の第２側面板の外側から、連通切欠部を通して、一方の第１側面板の第１通孔と、第１通孔と連通する一方の第２側面板の第２ネジ孔にネジを螺入可能である、
請求項１に記載の連結具。
【請求項３】
第１金具と第２金具のうち、少なくとも一方が、転倒を防止するための転倒防止金具の一部を固定可能な固定部を備える、
請求項１又は２に記載の連結具。
【発明の詳細な説明】
【技術分野】
【０００１】
本明細書で開示する技術は、貯湯タンクを備えるタンクユニットと、熱源機を備える熱源機ユニットとを連結固定するための連結具に関する。
【背景技術】
【０００２】
ヒートポンプ等で加熱した温水を貯湯タンクに貯湯しておき、貯湯しておいた温水を必要時に必要箇所に供給するとともに、必要に応じて、貯湯タンクから送り出される温水を熱源機で加熱して供給する給湯技術が知られている。特許文献１には、貯湯タンクを備えるタンクユニットと、熱源機を備える熱源機ユニットとを組み合わせた給湯システムが開示されている。特許文献１には、並べて配置されたタンクユニットの筐体の上面と、熱源機ユニットの筐体の上面とに亘って連結金具を配置し、連結金具の一方の端部をタンクユニットの筐体に固定し、連結金具の他方の端部を熱源機ユニットの筐体に固定することによって、両ユニットを連結固定することが開示されている。
【先行技術文献】
【特許文献】
【０００３】
【特許文献１】特開２０１１−１５８１２９号公報
【発明の概要】
【発明が解決しようとする課題】
【０００４】
特許文献１の技術では、タンクユニットと熱源機ユニットとを並べて配置した際に、タンクユニットと熱源機ユニットの上方に十分な作業スペースがない場合、連結金具を適切に配置できず、両ユニットを適切に連結固定することが困難になる。本明細書では、タンクユニットと熱源機ユニットとが配置される環境に関わらず、両ユニットを適切に連結固定することができる技術を提供する。
【課題を解決するための手段】
【０００５】
本明細書が開示する連結具は、貯湯タンクを備えるタンクユニットと、熱源機を備える熱源機ユニットとを連結固定するための連結具である。連結具は、タンクユニットと熱源機ユニットのうちの一方のユニットに取り付けられる第１金具と、タンクユニットと熱源機ユニットのうちの他方のユニットに取り付けられる第２金具とを備える。第１金具は、一方のユニットのうち、他方のユニットに対向する側の面に取り付けられる第１背面板と、第１背面板の長手方向両端部と連続して形成され、互いに対向する一対の第１側面板とを備える。一対の第１側面板には、それぞれ、第１通孔と、第１ネジ孔が形成される。第２金具は、他方のユニットのうち、一方のユニットに対向する側の面に取り付けられる第２背面板と、第２背面板の長手方向両端部と連続して形成され、互いに対向する一対の第２側面板とを備える。一対の第２側面板には、それぞれ、第２通孔と、第２ネジ孔が形成される。タンクユニットと熱源機ユニットとを並べて配置し、第１金具と第２金具とを組み合わせると、一対の第１側面板の外側面が、それぞれ、一対の第２側面板の内側面と重ねられ、第１通孔は第２ネジ孔と連通し、第１ネジ孔は第２通孔と連通し、第２側面板の外側から、連通する第２通孔及び第１ネジ孔にネジを螺入可能であるとともに、第１側面板の内側から、連通する第１通孔及び第２ネジ孔にネジを螺入可能である。
【０００６】
上記の第１ネジ孔及び第２ネジ孔は、ネジ（雄ネジ）の軸部を螺入可能なネジ孔である。また、上記の第１通孔及び第２通孔は、ネジの軸部が挿通可能であって、ネジの頭部が挿通不可能な通孔である。
【０００７】
上記の連結具によると、タンクユニットと熱源機ユニットとを並べて配置し、第１金具と第２金具とを組み合わせた際に、第２側面板の外側から、連通する第２通孔及び第１ネジ孔にネジを螺入可能であるとともに、第１側面板の内側から、連通する第１通孔及び第２ネジ孔にネジを螺入可能である。そのため、一方の第２側面板の外側方向（他方の第１側面板の内側方向でもある）からの作業により、一方の第２側面板と一方の第１側面板とをネジ止めして連結し、さらに、他方の第１側面板と他方の第２側面板とをネジ止めして連結することができる。即ち、仮に、周囲の作業スペースが少ない場所にタンクユニットと熱源機ユニットが配置される場合でも、一方の第２側面板の外側方向からの作業によって、両ユニットを連結固定することができる。
【０００８】
また、上記と異なる連結パターンを採ることもできる。即ち、一方の第２側面板の外側方向からの作業によって、一方の第２側面板と一方の第１側面板とをネジ止めして連結し、さらに、他方の第２側面板の外側方向からの作業によって、他方の第２側面板と他方の第１側面板とをネジ止めして連結することもできる。従って、上記の連結具によると、タンクユニットと熱源機ユニットとが配置される環境に関わらず、第１金具と第２金具とを適切に連結し、両ユニットを適切に連結固定することができる。
【図面の簡単な説明】
【０００９】
【図１】給湯システムを示す斜視図。
【図２】タンクユニットと熱源機ユニットの組み合わせ構造を示す分解斜視図。
【図３】第１実施例の連結具を示す分解斜視図。
【図４】第１実施例の連結具を組み合わせた様子を示す斜視図。
【図５】転倒防止金具を取り付ける様子を示す斜視図。
【図６】第２実施例の連結具を示す分解斜視図。
【図７】第２実施例の連結具を組み合わせた様子を示す斜視図。
【発明を実施するための形態】
【００１０】
以下に説明する実施例の主要な特徴を列記しておく。なお、以下に記載する技術要素は、それぞれ独立した技術要素であって、単独であるいは各種の組合せによって技術的有用性を発揮するものであり、出願時請求項記載の組合せに限定されるものではない。
【００１１】
（特徴１）一方の第１側面板には、さらに、第１開口部が形成され、他方の第１側面板には、さらに、第１切欠部が形成されていてもよい。また、一方の第２側面板には、さらに、第２開口部が形成され、他方の第２側面板には、さらに、第２切欠部が形成されていてもよい。タンクユニットと熱源機ユニットとを並べて配置し、第１金具と第２金具とを組み合わせると、第１開口部と第２開口部とが連通して連通開口部が形成されるとともに、第１切欠部と第２切欠部とが連通して連通切欠部が形成されてもよい。連通開口部は、他方の第１側面板の第１通孔及び他方の第２側面板の第２ネジ孔と対向する位置に形成され、連通切欠部は、一方の第１側面板の第１通孔及び一方の第２側面板の第２ネジ孔と対向する位置に形成されていてもよい。一方の第２側面板の外側から、連通開口部を通して、他方の第１側面板の第１通孔と、第１通孔と連通する他方の第２側面板の第２ネジ孔にネジを螺入可能であり、他方の第２側面板の外側から、連通切欠部を通して、一方の第１側面板の第１通孔と、第１通孔と連通する一方の第２側面板の第２ネジ孔にネジを螺入可能であってもよい。
【００１２】
上記の第１開口部、第２開口部、及び、連通開口部は、それぞれ、ネジ（雄ネジ）の軸部と頭部のいずれも挿通可能な開口部であることが好ましい。上記の第１切欠部、第２切欠部、及び、連通切欠部も、それぞれ、ネジ（雄ネジ）の軸部と頭部のいずれも挿通可能な切欠部であることが好ましい。
【００１３】
この構成によると、タンクユニットと熱源機ユニットとを並べて配置し、第１金具と第２金具とを組み合わせた際に、一方の第２側面板の外側から、連通開口部を通して、他方の第１側面板の第１通孔と、第１通孔と連通する他方の第２側面板の第２ネジ孔にネジを螺入可能であり、他方の第２側面板の外側から、連通切欠部を通して、一方の第１側面板の第１通孔と、第１通孔と連通する一方の第２側面板の第２ネジ孔にネジを螺入可能である。そのため、例えば、一方の第２側面板の外側方向（他方の第１側面板の内側方向でもある）から作業を行う場合に、連通開口部に工具を挿入させれば、他方の第１側面板と他方の第２側面板とをネジ止め可能な位置にネジを配置することができる。従って、ネジの位置決めを容易に行うことができ、作業負担が少なく済む。
【００１４】
また、例えば、他方の第２側面板の外側方向（一方の第１側面板の内側方向でもある）から作業を行う場合に、連通切欠部に沿って工具を挿通させれば、一方の第１側面板と一方の第２側面板とをネジ止め可能な位置にネジを配置することができる。従って、この場合も、ネジの位置決めを容易に行うことができ、作業負担が少なく済む。
【００１５】
（特徴２）第１金具と第２金具のうち、少なくとも一方が、転倒を防止するための転倒防止金具の一部を固定可能な固定部を備えてもよい。この構成によると、固定部に転倒防止金具を固定できるため、タンクユニット又は熱源機ユニットに転倒防止金具を取り付けるための加工を施さずに済む。
【００１６】
（第１実施例）
図１に示すように、本実施例の給湯システム２は、ヒートポンプ等で加熱した温水を貯湯タンクに貯湯しておき、貯湯しておいた温水を必要時に必要箇所に供給するとともに、必要に応じて、貯湯タンクから送りだされる温水を熱源機で加熱して供給する給湯システムである。本実施例の給湯システム２は、熱源機（図示しない）を備える熱源機ユニット１０と、貯湯タンク（図示しない）を備えるタンクユニット２０とを備える。熱源機ユニット１０は、筐体１２内に熱源機を収容している。同様に、タンクユニット２０は、筐体２２内に貯湯タンクを収容している。
【００１７】
図１に示すように、本実施例の給湯システム２では、熱源機ユニット１０とタンクユニット２０が並べて配置されている。熱源機ユニット１０とタンクユニット２０は、両ユニット１０、２０の間に備えられている連結具３０（第１金具４０及び第２金具７０）によって連結固定されている。
【００１８】
図２を参照して、熱源機ユニット１０とタンクユニット２０の組み合わせ構造について説明する。なお、図２では、熱源機ユニット１０の筐体１２の一部の板部材、及び、タンクユニット２０の筐体２２の一部の板部材の図示を省略している。図２に示すように、本実施例の給湯システム２では、据付台４上に固定されたタンクユニット２０の側方に、熱源機ユニット１０が配置される。熱源機ユニット１０の筐体１２のうち、タンクユニット２０と対向する側の面の上端部には、第１金具４０が取り付けられている。一方、タンクユニット２０の筐体２２のうち、熱源機ユニット１０と対向する側の面の上端部には、第２金具７０が取り付けられている。
【００１９】
なお、熱源機ユニット１０の筐体１２のうち、タンクユニット２０と対向する側の面の高さ方向中央付近と、タンクユニット２０の筐体２２のうち、熱源機ユニット１０と対向する側の面の高さ方向中央付近には、それぞれ、組み合わせ金具１００が取り付けられている。
【００２０】
図２に示すように、熱源機ユニット１０とタンクユニット２０とを並べて配置し、両ユニット１０、２０を連結固定するためには、次の各作業を行う。まず、熱源機ユニット１０をタンクユニット２０の横に配置し、熱源機ユニット１０の下端部を据付台４に固定する。さらに、熱源機ユニット１０の筐体１２に取り付けられた上記組み合わせ金具（図示省略）と、タンクユニット２０の筐体２２に取り付けられた上記組み合わせ金具１００とを組み合わせて連結する。本明細書では、組み合わせ金具１００同士の詳しい連結構造の説明は省略する。さらに、熱源機ユニット１０の筐体１２に取り付けられた第１金具４０と、タンクユニット２０の筐体２２に取り付けられた第２金具７０とを組み合わせ、所定箇所においてネジ止めを行い、第１金具４０と第２金具７０とを連結する。なお、第１金具４０と第２金具７０の組み合わせ構造、及び、第１金具４０と第２金具７０の連結方法については、後で詳しく説明する。以上の各作業を行うことにより、両ユニット１０、２０が連結固定され、本実施例の給湯システム２（図１参照）が完成する。
【００２１】
続いて、図３、図４を参照して、上記の連結具３０について詳しく説明する。上記の通り、本実施例の連結具３０は、熱源機ユニット１０に取り付けられる金具である第１金具４０と、タンクユニット２０に取り付けられる金具である第２金具７０とを備える。
【００２２】
図３に示すように、第１金具４０は、第１背面板４２と、一対の第１側面板４４、４６と、第１上面板４８と、を備える。
【００２３】
第１背面板４２は、熱源機ユニット１０の筐体１２のうち、タンクユニット２０と対向する側の面に取り付けられる部分である。第１背面板４２には、２個の孔４３が形成されている。孔４３は、ネジの軸部が挿通可能であって、ネジの頭部が挿通不可能な孔である。これにより、第１背面板４２を、熱源機ユニット１０の筐体１２のうち、タンクユニット２０と対向する側の面に固定することができる。
【００２４】
一対の第１側面板４４、４６は、第１背面板４２の長手方向両端部と連続して形成されている部分であって、互いに対向している。第１側面板４４、４６は、いずれも、第１背面板４２に対して垂直に形成されている。一方の第１側面板４４には、第１ネジ孔５２と、第１通孔５０とが形成されている。他方の第１側面板４６にも、同様に、第１ネジ孔５６と、第１通孔５４とが形成されている。ここで、第１ネジ孔５２、５６は、ネジ（雄ネジ）の軸部を螺入可能なネジ孔である。また、第１通孔５０、５４は、ネジの軸部が挿通可能であって、ネジの頭部が挿通不可能な通孔である。
【００２５】
第１上面板４８は、第１背面板４２の上端部と連続して形成されている部分である。第１上面板４８も、第１背面板４２に対して垂直に形成されている。第１上面板４８の端部は、下方に向けて折り返されている。第１上面板４８には、２個のネジ孔５８が形成されている。ネジ孔５８は、ネジの軸部を螺入可能なネジ孔である。
【００２６】
第２金具７０は、第２背面板７２と、一対の第２側面板７４、７６と、第２上面板７８と、を備える。
【００２７】
第２背面板７２は、タンクユニット２０の筐体２２のうち、熱源機ユニット１０と対向する側の面に取り付けられる部分である。第２背面板７２にも、図示しない孔が形成されている。当該孔を通してネジ止めすることにより、第２背面板７２を、タンクユニット２０の筐体２２に固定することができる。
【００２８】
一対の第２側面板７４、７６は、第２背面板７２の長手方向両端部と連続して形成されている部分であって、互いに対向している。第２側面板７４、７６は、いずれも、第２背面板７２に対して垂直に形成されている。一方の第２側面板７４には、第２ネジ孔８０と、第２通孔８２とが形成されている。他方の第２側面板７６にも、同様に、第２ネジ孔８４と、第２通孔８６とが形成されている。ここで、第２ネジ孔８０、８４は、ネジ（雄ネジ）の軸部を螺入可能なネジ孔である。また、第２通孔８２、８６は、ネジの軸部が挿通可能であって、ネジの頭部が挿通不可能な通孔である。なお、第２側面板７４、７６の端部には、それぞれ、リブ７５、７７が一体に形成されている。
【００２９】
第２上面板７８は、第２背面板７２の上端部と連続して形成されている部分である。第２上面板７８も、第２背面板７２に対して垂直に形成されている。第２上面板７８の長手方向３箇所には、凸部が形成されている。凸部には、それぞれ、ネジ孔８９が形成されている。ネジ孔８９は、ネジの軸部を螺入可能なネジ孔である。第２上面板７８の凸部以外の部分（平面部分）には、２個の通孔８８が形成されている。通孔８８は、ネジの軸部が挿通可能であって、ネジの頭部が挿通不可能な通孔である。
【００３０】
図４に示すように、第１金具４０と第２金具７０とを組み合わせると、第１金具４０の一対の第１側面板４４、４６の外側面が、それぞれ、第２金具７０の一対の第２側面板７４、７６の内側面と重ねられる。この際、一方の第２側面板７４の第２通孔８２と、一方の第１側面板４４の第１ネジ孔５２とが連通する（図３参照）。また、一方の第２側面板７４の第２ネジ孔８０と、一方の第１側面板４４の第１通孔５０とが連通する（図３参照）。同様に、他方の第２側面板７６の第２通孔８６と、他方の第１側面板４６の第１ネジ孔５６とが連通する（図３参照）。また、他方の第２側面板７６の第２ネジ孔８４と、他方の第１側面板４６の第１通孔５４とが連通する（図３参照）。
【００３１】
また、図４に示すように、第１金具４０と第２金具７０とを組み合わせると、第１金具４０の第１上面板４８の外側面（図中上面）が、第２金具７０の第２上面板７８の内側面（図中下面）と重ねられる。この際、第２上面板７８の２個の通孔８８は、それぞれ、第１上面板４８のネジ孔５８と連通する（図３参照）。
【００３２】
図４に示すように、本実施例の連結具３０では、組み合わせた第１金具４０と第２金具７０をネジ止めによって連結するための複数の連結パターンが存在する。以下、各パターンについて説明する。なお、図４中のＡ１、Ａ２、Ｂ１、Ｂ２、Ｃ１、Ｃ２の各矢印は、ネジ止め方向を示している。
【００３３】
（第１パターン；Ａ１、Ａ２）
第１パターンでは、図４の矢印Ａ１、Ａ２に示すようにネジ止めを行う。即ち、第１パターンでは、一方の第２側面板７４の外側方向（他方の第１側面板４６の内側方向でもある）から、ネジ止め作業を行う。この場合、まず、矢印Ａ１に示すように、一方の第２側面板７４の外側から、連通する第２通孔８２及び第１ネジ孔５２（図３参照）にネジを螺入して、一方の第２側面板７４と一方の第１側面板４４とをネジ止めによって連結する。さらに、矢印Ａ２に示すように、一方の第２側面板７４の外側（即ち、他方の第１側面板４６の内側）から、連通する第１通孔５４及び第２ネジ孔８４（図３参照）にネジを螺入して、他方の第１側面板４６と他方の第２側面板７６とをネジ止めによって連結する。この際、連結具３０の下方に形成される開口部３２から工具を挿入して、ネジ止め作業を行う。従って、仮に、周囲の作業スペースが少ない場所に熱源機ユニット１０とタンクユニット２０が配置される場合でも、一方の第２側面板７４の外側方向からの作業によって、両ユニット１０、２０を連結固定することができる。
【００３４】
（第２パターン；Ｂ１、Ｂ２）
第２パターンでは、図４の矢印Ｂ１、Ｂ２に示すようにネジ止めを行う。即ち、第２パターンでは、他方の第２側面板７６の外側方向（一方の第１側面板４４の内側方向でもある）から、ネジ止め作業を行う。この場合、まず、矢印Ｂ１に示すように、他方の第２側面板７６の外側から、連通する第２通孔８６及び第１ネジ孔５６（図３参照）にネジを螺入して、他方の第２側面板７６と他方の第１側面板４６とをネジ止めによって連結する。さらに、矢印Ｂ２に示すように、他方の第２側面板７６の外側（即ち、一方の第１側面板４４の内側）から、連通する第１通孔５０及び第２ネジ孔８０（図３参照）にネジを螺入して、一方の第１側面板４４と一方の第２側面板７４とをネジ止めによって連結する。この際、連結具３０の下方に形成される開口部３２から工具を挿入して、ネジ止め作業を行う。従って、周囲の作業スペースが少ない場所に熱源機ユニット１０とタンクユニット２０が配置される場合でも、他方の第２側面板７６の外側方向からの作業によって、両ユニット１０、２０を連結固定することができる。
【００３５】
（第３パターン；Ｃ１、Ｃ２）
第３パターンでは、図４の矢印Ｃ１、Ｃ２に示すようにネジ止めを行う。即ち、第３パターンでは、第２上面板７８の上側からネジ止め作業を行う。この場合、矢印Ｃ１、Ｃ２に示すように、連通する第２上面板７８の通孔８８及び第１上面板４８のネジ孔５８に、ネジを螺入して、第２上面板７８と第１上面板４８とをネジ止めによって連結する。従って、例えば、熱源機ユニット１０とタンクユニット２０の側方の作業スペースが少ない場所に両ユニット１０、２０が配置される場合であっても、第２上面板７８の上側からの作業によって、両ユニット１０、２０を連結固定することができる。
【００３６】
（第４パターン；Ａ１、Ｂ１）
第４パターンでは、図４の矢印Ａ１、Ｂ１に示すようにネジ止めを行う。矢印Ａ１、Ｂ１が示すネジ止め方法については、上記の通りである。第４パターンによる場合、連結具３０の下方に形成される開口部３２から工具を挿入して、ネジ止め作業を行う必要がない（矢印Ａ２、Ｂ２参照）。従って、例えば、熱源機ユニット１０とタンクユニット２０の側方に十分に作業スペースがあり、両ユニット１０、２０の上方に十分な作業スペースがない場合等には、第４パターンのようにネジ止めを行うことにより、両ユニット１０、２０を連結固定することができる。
【００３７】
上記の通り、本実施例の連結具３０によると、熱源機ユニット１０とタンクユニット２０とが配置される環境に関わらず、第１金具４０と第２金具７０とを適切に連結し、両ユニット１０、２０を適切に連結固定することができる。
【００３８】
さらに、本実施例では、図５に示すように、第１金具４０と第２金具７０とがネジ止めによって連結され、熱源機ユニット１０とタンクユニット２０とが連結されている状態において、連結具３０の上部に転倒防止金具９０を固定することができる。
【００３９】
転倒防止金具９０は、略Ｌ字状に成形された板状の金具である。転倒防止金具９０は、連結具３０に固定される第１部分９２と、壁等の他の部材に固定される第２部分９４とを備える。本実施例では、第２部分９４の長さは、第１部分９２の長さと比べて短い。また、第２部分９４は、第１部分９２に対して略垂直に形成されている。第１部分９２には、ネジの軸部を挿通可能な２個の通孔９８が形成されている。第２部分９４にも、ネジの軸部を挿通可能な通孔９６が形成されている。
【００４０】
転倒防止金具９０を連結具３０に取り付ける場合、まず、第１部分９２を、露出している第２金具７０の第２上面板７８上に配置する。次いで、第１部分９２の通孔９８を、第２上面板７８に形成されているネジ孔８９（図４参照）と位置合わせする。この際、第１部分９２の２個の通孔９８を、第２上面板７８に形成されている３個のネジ孔８９のうちの２個と位置合わせする。次いで、連通する通孔９８及びネジ孔８９にネジを螺入し、第２金具７０と、第１部分９２とをネジ止めによって連結固定する。これにより、転倒防止金具９０が連結具３０に固定される。本実施例の連結具３０によると、第２上面板７８上に転倒防止金具９０の第１部分９２を固定できるため、熱源機ユニット１０又はタンクユニット２０に、転倒防止金具９０を取り付けるための加工を施さずに済む。本実施例の第２上面板７８が、「固定部」の一例である。
【００４１】
（第２実施例）
第２実施例について説明する。図６、図７に示すように、第２実施例では、連結具１３０が第１実施例の連結具３０とは異なる。以下、本実施例の連結具１３０について説明する。
【００４２】
本実施例の連結具１３０も、熱源機ユニット１０に取り付けられる金具である第１金具１４０と、タンクユニット２０に取り付けられる金具である第２金具１７０とを備える。なお、本実施例の第１金具１４０及び第２金具１７０は、その基本的な構造は第１実施例の第１金具４０及び第２金具７０（図３、図４参照）と共通している。そのため、以下の説明では、第１実施例の第１金具４０及び第２金具７０と共通する説明を部分的に省略する場合がある。
【００４３】
図６に示すように、第１金具１４０は、第１背面板１４２と、一対の第１側面板１４４、１４６と、第１上面板１４８と、を備える。
【００４４】
第１背面板１４２は、熱源機ユニット１０の筐体１２に取り付けられる部分である。第１背面板１４２には、２個の孔１４３が形成されている。これにより、第１背面板１４２を、熱源機ユニット１０の筐体１２に固定することができる。
【００４５】
一対の第１側面板１４４、１４６は、第１背面板１４２の長手方向両端部と連続して形成されている部分であって、互いに対向している。一方の第１側面板１４４には、第１ネジ孔１５２と、第１通孔１５０とが形成されている。他方の第１側面板１４６にも、同様に、第１ネジ孔１５６と、第１通孔１５４とが形成されている。さらに、本実施例では、一方の第１側面板１４４の略中央部には、第１開口部１５１が形成されている。第１開口部１５１は、ネジ（雄ネジ）の軸部と頭部のいずれも挿通可能な開口部である。また、他方の第１側面板１４６の下端部には、第１切欠部１５５が形成されている。第１切欠部１５５も、ネジの軸部と頭部のいずれも挿通可能な切欠部である。
【００４６】
第１上面板１４８は、第１背面板１４２の上端部と連続して形成されている部分である。第１上面板１４８には、２個のネジ孔１５８が形成されている。さらに、第１上面板１４８には、３個の通孔１５９が形成されている。
【００４７】
第２金具１７０は、第２背面板１７２と、一対の第２側面板１７４、１７６と、第２上面板１７８と、を備える。
【００４８】
第２背面板１７２は、タンクユニット２０の筐体２２に取り付けられる部分である。第２背面板１７２にも、図示しない孔が形成されており、これにより、第２背面板１７２を、タンクユニット２０の筐体２２に固定することができる。
【００４９】
一対の第２側面板１７４、１７６は、第２背面板１７２の長手方向両端部と連続して形成されている部分であって、互いに対向している。一方の第２側面板１７４には、第２ネジ孔１８０と、第２通孔１８２とが形成されている。他方の第２側面板１７６にも、同様に、第２ネジ孔１８４と、第２通孔１８６とが形成されている。さらに、本実施例では、一方の第２側面板１７４の略中央部には、第２開口部１８１が形成されている。第２開口部１８１も、ネジの軸部と頭部のいずれも挿通可能な開口部である。また、他方の第２側面板１７６の下端部には、第２切欠部１８５が形成されている。第２切欠部１８５も、ネジの軸部と頭部のいずれも挿通可能な切欠部である。なお、第２側面板１７４、１７６の端部には、それぞれ、リブ１７５、１７７が一体に形成されている。
【００５０】
第２上面板１７８は、第２背面板１７２の上端部と連続して形成されている部分である。第２上面板１７８の長手方向３箇所には、凸部が形成されており、各凸部にはネジ孔１８９が形成されている。第２上面板１７８の凸部以外の部分（平面部分）には、２個の通孔１８８が形成されている。
【００５１】
図７に示すように、第１金具１４０と第２金具１７０とを組み合わせると、第１金具１４０の一対の第１側面板１４４、１４６の外側面が、それぞれ、第２金具１７０の一対の第２側面板１７４、１７６の内側面と重ねられる。この際、一方の第２側面板１７４の第２通孔１８２と、一方の第１側面板１４４の第１ネジ孔１５２とが連通する（図６参照）。また、一方の第２側面板１７４の第２ネジ孔１８０と、一方の第１側面板１４４の第１通孔１５０とが連通する（図６参照）。さらに、一方の第２側面板１７４の第２開口部１８１と、一方の第１側面板１４４の第１開口部１５１とが連通し、連通開口部２００が形成される。
【００５２】
また、他方の第２側面板１７６の第２通孔１８６と、他方の第１側面板１４６の第１ネジ孔１５６とが連通する（図６参照）。また、他方の第２側面板１７６の第２ネジ孔１８４と、他方の第１側面板１４６の第１通孔１５４とが連通する（図６参照）。さらに、他方の第２側面板１７６の第２切欠部１８５と、他方の第１側面板１４６の第１切欠部１５５とが連通し、連通切欠部２０２が形成される。
【００５３】
連通開口部２００は、他方の第１側面板１４６の第１通孔１５４及び他方の第２側面板１７６の第２ネジ孔１８４と対向する位置に形成される。また、連通切欠部２０２は、一方の第１側面板１４４の第１通孔１５０及び一方の第２側面板１７４の第２ネジ孔１８０と対向する位置に形成される。
【００５４】
また、図７に示すように、第１金具１４０と第２金具１７０とを組み合わせると、第１金具１４０の第１上面板１４８の外側面（図中上面）が、第２金具１７０の第２上面板１７８の内側面（図中下面）と重ねられる。この際、第２上面板１７８の２個の通孔１８８は、それぞれ、第１上面板１４８のネジ孔１５８と連通する（図６参照）。なお、同時に、第２上面板１７８の３個のネジ孔１８９と、第１上面板１４８の３個の通孔１５９も連通する（図６参照）。
【００５５】
図６に示すように、本実施例の連結具１３０でも、組み合わせた第１金具１４０と第２金具１７０をネジ止めによって連結するために、複数の連結パターンが存在する。以下、各パターンについて説明する。なお、図７中のＡ３、Ａ４、Ｂ３、Ｂ４、Ｃ３、Ｃ４の各矢印は、ネジ止め方向を示している。
【００５６】
（第１パターン；Ａ３、Ａ４）
第１パターンでは、図７の矢印Ａ３、Ａ４に示すようにネジ止めを行う。即ち、第１パターンでは、一方の第２側面板１７４の外側方向（他方の第１側面板１４６の内側方向でもある）から、ネジ止め作業を行う。この場合、まず、矢印Ａ３に示すように、一方の第２側面板１７４の外側から、連通する第２通孔１８２及び第１ネジ孔１５２（図６参照）にネジを螺入して、一方の第２側面板１７４と一方の第１側面板１４４とをネジ止めによって連結する。さらに、矢印Ａ４に示すように、一方の第２側面板１７４の外側方向から、連通開口部２００を通して、他方の第１側面板１４６の第１通孔１５４及び他方の第２側面板１７６の第２ネジ孔１８４（図６参照）にネジを螺入して、他方の第１側面板１４６と他方の第２側面板１７６とをネジ止めによって連結する。上記の通り、連通開口部２００は、他方の第１側面板１４６の第１通孔１５４及び他方の第２側面板１７６の第２ネジ孔１８４と対向する位置に形成される。そのため、本パターンでは、一方の第２側面板１７４の外側方向から作業を行う場合に、連通開口部２００に工具を挿入させれば、他方の第１側面板１４６と他方の第２側面板１７６とをネジ止め可能な位置にネジを配置することができる。従って、ネジの位置決めを容易に行うことができ、作業負担が少なく済む。
【００５７】
（第２パターン；Ｂ３、Ｂ４）
第２パターンでは、図７の矢印Ｂ３、Ｂ４に示すようにネジ止めを行う。即ち、第２パターンでは、他方の第２側面板１７６の外側方向（一方の第１側面板１４４の内側方向でもある）から、ネジ止め作業を行う。この場合、まず、矢印Ｂ３に示すように、他方の第２側面板１７６の外側から、連通する第２通孔１８６及び第１ネジ孔１５６（図６参照）にネジを螺入して、他方の第２側面板１７６と他方の第１側面板１４６とをネジ止めによって連結する。さらに、矢印Ｂ４に示すように、他方の第２側面板１７６の外側（即ち、一方の第１側面板１４４の内側）から、連通切欠部２０２を通して、一方の第１側面板１４４の第１通孔１５０及び一方の第２側面板１７４の第２ネジ孔１８０にネジを螺入して、一方の第１側面板１４４と一方の第２側面板１７４とをネジ止めによって連結する。上記の通り、連通切欠部２０２は、一方の第１側面板１４４の第１通孔１５０及び一方の第２側面板１７４の第２ネジ孔１８０と対向する位置に形成される。そのため、本パターンでは、他方の第２側面板１７６の外側方向から作業を行う場合に、連通切欠部２０２に工具を挿入させれば、一方の第１側面板１４４と一方の第２側面板１７４とをネジ止め可能な位置にネジを配置することができる。従って、ネジの位置決めを容易に行うことができ、作業負担が少なく済む。
【００５８】
（第３パターン；Ｃ３、Ｃ４）
第３パターンでは、図７の矢印Ｃ３、Ｃ４に示すようにネジ止めを行う。即ち、第３パターンでは、第２上面板１７８の上側からネジ止め作業を行う。この場合、矢印Ｃ３、Ｃ４に示すように、連通する第２上面板１７８の通孔１８８及び第１上面板１４８のネジ孔１５８に、ネジを螺入して、第２上面板１７８と第１上面板１４８とをネジ止めによって連結する。
【００５９】
（第４パターン；Ａ３、Ｂ３）
第４パターンでは、図７の矢印Ａ３、Ｂ３に示すようにネジ止めを行う。矢印Ａ３、Ｂ３に示すネジ止め方法については、上記の通りである。第４パターンによる場合、連通開口部２００や連通切欠部２０２を通してネジ止め作業を行う必要がない（矢印Ａ４、Ｂ４参照）。従って、例えば、熱源機ユニット１０とタンクユニット２０の側方に十分に作業スペースがあり、両ユニット１０、２０の上方に十分な作業スペースがない場合等には、第４パターンのようにネジ止めを行うことにより、両ユニット１０、２０を連結固定することができる。
【００６０】
上記の通り、本実施例の連結具１３０によっても、上記の第１実施例の連結具３０と同様の効果を発揮することができる。さらに、本実施例の連結具１３０によると、連通開口部２００や連通切欠部２０２に沿って工具を挿通させることにより、ネジの位置決めを容易に行うことができ、作業負担が少なく済むという効果がある。
【００６１】
なお、本実施例の連結具１３０にも、第１実施例と同様に、転倒防止金具９０を固定することができる（図５参照）。具体的には、転倒防止金具９０の第１部分９２の２個の通孔９８を、第２金具１７０の第２上面板１７８の３個のネジ孔１８９（図７参照）のうちの２個と重ね合わせ、ネジ止めを行う。なお、上記の通り、第２上面板１７８のネジ孔１８９は、第１上面板１４８の通孔１５９と連通している。そのため、ネジは、連通する各孔（転倒防止金具９０の第１部分９２の通孔９８、第２上面板１７８のネジ孔１８９、及び、第１上面板１４８の通孔１５９）に螺入される。この結果、転倒防止金具９０の第１部分９２と、第２金具１７０の第２上面板１７８とがネジ止めによって連結固定される。これにより、転倒防止金具９０が連結具１３０に固定される。本実施例の連結具１３０によっても、熱源機ユニット１０又はタンクユニット２０に、転倒防止金具９０を取り付けるための加工を施さずに済む。本実施例の第２上面板１７８が「固定部」の一例である。
【００６２】
以上、本発明の実施例について詳細に説明したが、これらは例示に過ぎず、特許請求の範囲を限定するものではない。特許請求の範囲に記載の技術には、以上に例示した具体例を様々に変形、変更したものが含まれる。
【００６３】
（変形例１）  上記の各実施例では、連結具３０（１３０）のうち、第１金具４０（１４０）を熱源機ユニット１０の筐体１２に固定し、第２金具７０（１７０）をタンクユニット２０の筐体２２に固定する例を説明したが、第１金具４０（１４０）をタンクユニット２０の筐体２２に固定し、第２金具７０（１７０）を熱源機ユニット１０の筐体１２に固定してもよい。
【００６４】
（変形例２）  上記の各実施例では、連結具３０（１３０）は、熱源機を備える熱源機ユニット１０と、貯湯タンクを備えるタンクユニット２０とを組み合わせた給湯システム２を形成するための連結具として利用されている。これには限られず、連結具３０（１３０）は、熱源機を備える熱源機ユニットと、暖房用熱媒（例えば湯）を貯留するための貯湯タンクを組み合わせた暖房システムを形成するための連結具として利用されてもよい。
【符号の説明】
【００６５】
２：給湯システム
４：据付台
１０：熱源機ユニット
１２：筐体
２０：タンクユニット
２２：筐体
３０：連結具
３２：開口部
４０：第１金具
４２：第１背面板
４３：孔
４４、４６：第１側面板
４８：第１上面板
５０、５４：第１通孔
５２、５６：第１ネジ孔
５８：ネジ孔
７０：第２金具
７２：第２背面板
７４、７６：第２側面板
７５、７７：リブ
７８：第２上面板
８０、８４：第２ネジ孔
８２、８６：第２通孔
８８：通孔
８９：ネジ孔
９０：転倒防止金具
９２：第１部分
９４：第２部分
９６：通孔
９８：通孔
１００：組み合わせ金具
１３０：連結具
１４０：第１金具
１４２：第１背面板
１４３：孔
１４４、１４６：第１側面板
１４８：第１上面板
１５０、１５４：第１通孔
１５１：第１開口部
１５２、１５６：第１ネジ孔
１５５：第１切欠部
１５８：ネジ孔
１５９：通孔
１７０：第２金具
１７２：第２背面板
１７４、１７６：第２側面板
１７５、１７７：リブ
１７８：第２上面板
１８０、１８４：第２ネジ孔
１８１：第２開口部
１８２、１８６：第２通孔
１８５：第２切欠部
１８８：通孔
１８９：ネジ孔
２００：連通開口部
２０２：連通切欠部
【図１】
2013257084.tif 000003
【図２】
2013257084.tif 000004
【図３】
2013257084.tif 000005
【図４】
2013257084.tif 000006
【図５】
2013257084.tif 000007
【図６】
2013257084.tif 000008
【図７】
2013257084.tif 000009